(57)【要約】【課題】  接続端子との接続容易性を向上させる。【解決手段】  コネクタハウジング１０のハーネス側挿入口１５から挿入されたＦＦＣ２０の一端部２１は、接続空間部２９内において第１折返し部２５、第２折返し部２７及び延長部２８を構成する形状で収容される。端子側挿入口１６から挿入されたタブ端子３１は、第１折返し部２５と延長部２８との間で、少なくとも第１及び第２折返し部２５，２７の弾性復元力に基づく接触圧で挟み込まれ、ＦＦＣ２０の導体２２と接触する。【選択図】  図４
2005093272.tif 000002
【特許請求の範囲】
【請求項１】
複数の導体が平面状に並設されると共に絶縁被覆で覆われてなるフラットハーネスと、相手方接続端子とを接続するコネクタであって、
一方の側壁に前記フラットハーネスの端部を挿入するハーネス側挿入口が形成されると共に、これと対向する他方の側壁に前記相手方接続端子を挿入する端子側挿入口が形成され、内部に接続空間部が形成された絶縁体からなるコネクタハウジングと、
このコネクタハウジングの前記接続空間部に収容された前記フラットハーネスの一端部であって、前記一端部は、前記フラットハーネスの少なくとも一方の面側の絶縁被覆が除去されて前記複数の導体が外部に露出され、前記前記ハーネス側挿入口から挿入されて前記他方の側壁に向かって延びる部分が前記露出された導体側を外側として湾曲状態で折り返された第１折返し部と、この第１折返し部から前記一方の側壁に向かって延びる部分が前記露出された導体側を内側として湾曲状態で折り返された第２折返し部と、この第２折返し部から少なくとも前記第１折返し部と重なる位置まで延びる延長部とを含み、
前記端子側挿入口から挿入された相手方接続端子を、前記第１折返し部と前記延長部との間で、前記第１及び第２折返し部の弾性復元力に基づく接触圧で挟み込むようにした
ことを特徴とするコネクタ。
【請求項２】
複数の導体が平面状に並設されると共に絶縁被覆で覆われてなるフラットハーネスと、相手方接続端子と、これらフラットハーネスと相手方接続端子とを接続するコネクタとを備えたフラットハーネスの接続構造であって、
前記コネクタは、
一方の側壁に前記フラットハーネスの端部を挿入するハーネス側挿入口が形成されると共に、これと対向する他方の側壁に前記相手方接続端子を挿入する端子側挿入口が形成され、内部に接続空間部が形成された絶縁体からなるコネクタハウジングと、
このコネクタハウジングの前記接続空間部に収容された前記フラットハーネスの一端部であって、前記一端部は、前記フラットハーネスの少なくとも一方の面側の絶縁被覆が除去されて前記複数の導体が外部に露出され、前記ハーネス側挿入口から挿入されて前記他方の側壁に向かって延びる部分が前記露出された導体側を外側として湾曲状態で折り返された第１折返し部と、この第１折返し部から前記一方の側壁に向かって延びる部分が前記露出された導体側を内側として湾曲状態で折り返された第２折返し部と、この第２折返し部から少なくとも前記第１折返し部と重なる位置まで延びる延長部とを含み、
前記端子側挿入口から挿入された相手方接続端子を、前記第１折返し部と前記延長部との間で、前記第１及び第２折返し部の弾性復元力に基づく接触圧で挟み込むようにした
ことを特徴とするフラットハーネスの接続構造。
【発明の詳細な説明】
【技術分野】
【０００１】
本発明は、複数の導体を平面状に並設してなるフラットハーネスの接続構造及びコネクタに関し、特に接続端子との接続容易性を向上させることができるフラットハーネスの接続構造及びコネクタに関するものである。
【背景技術】
【０００２】
従来から、複数の導体を平面状に並設した構造からなるフラットハーネスと接続端子などの他の部材とを接続するためには、フラットハーネスの端末部の絶縁被覆を除去して露出させた導体に接続端子を半田付けして接続することや、導体を貫通する構造の導体接続部を備えた接続端子をフレキシブルフラットケーブルに圧着（ピアッシング）して接続することが知られている（例えば、特許文献１参照。）。
【０００３】
【特許文献１】特開２００２−３５２８８８号公報（第３−５頁、第１−４図）
【発明の開示】
【発明が解決しようとする課題】
【０００４】
しかしながら、特許文献１に記載のフラットケーブルのコネクタ接続構造では、圧着により接続端子をフラットハーネスとしてのフレキシブルフラットケーブルに接続しているため、両者を接続するために圧着作業が必要となりフラットハーネスと接続端子との接続容易性を向上させ難いという問題がある。
【０００５】
本発明は、このような問題点に鑑みてなされたもので、接続端子との接続容易性を向上させることができるフラットハーネスの接続構造及びコネクタを提供することを目的とする。
【課題を解決するための手段】
【０００６】
本発明に係るコネクタは、複数の導体が平面状に並設されると共に絶縁被覆で覆われてなるフラットハーネスと、相手方接続端子とを接続するコネクタであって、一方の側壁に前記フラットハーネスの端部を挿入するハーネス側挿入口が形成されると共に、これと対向する他方の側壁に前記相手方接続端子を挿入する端子側挿入口が形成され、内部に接続空間部が形成された絶縁体からなるコネクタハウジングと、このコネクタハウジングの前記接続空間部に収容された前記フラットハーネスの一端部であって、前記一端部は、前記フラットハーネスの少なくとも一方の面側の絶縁被覆が除去されて前記複数の導体が外部に露出され、前記前記ハーネス側挿入口から挿入されて前記他方の側壁に向かって延びる部分が前記露出された導体側を外側として湾曲状態で折り返された第１折返し部と、この第１折返し部から前記一方の側壁に向かって延びる部分が前記露出された導体側を内側として湾曲状態で折り返された第２折返し部と、この第２折返し部から少なくとも前記第１折返し部と重なる位置まで延びる延長部とを含み、前記端子側挿入口から挿入された相手方接続端子を、前記第１折返し部と前記延長部との間で、前記第１及び第２折返し部の弾性復元力に基づく接触圧で挟み込むようにしたことを特徴とする。
【０００７】
本発明に係るフラットハーネスの接続構造は、複数の導体が平面状に並設されると共に絶縁被覆で覆われてなるフラットハーネスと、相手方接続端子と、これらフラットハーネスと相手方接続端子とを接続するコネクタとを備えたフラットハーネスの接続構造であって、前記コネクタは、一方の側壁に前記フラットハーネスの端部を挿入するハーネス側挿入口が形成されると共に、これと対向する他方の側壁に前記相手方接続端子を挿入する端子側挿入口が形成され、内部に接続空間部が形成された絶縁体からなるコネクタハウジングと、このコネクタハウジングの前記接続空間部に収容された前記フラットハーネスの一端部であって、前記一端部は、前記フラットハーネスの少なくとも一方の面側の絶縁被覆が除去されて前記複数の導体が外部に露出され、前記ハーネス側挿入口から挿入されて前記他方の側壁に向かって延びる部分が前記露出された導体側を外側として湾曲状態で折り返された第１折返し部と、この第１折返し部から前記一方の側壁に向かって延びる部分が前記露出された導体側を内側として湾曲状態で折り返された第２折返し部と、この第２折返し部から少なくとも前記第１折返し部と重なる位置まで延びる延長部とを含み、前記端子側挿入口から挿入された相手方接続端子を、前記第１折返し部と前記延長部との間で、前記第１及び第２折返し部の弾性復元力に基づく接触圧で挟み込むようにしたことを特徴とする。
【発明の効果】
【０００８】
本発明によれば、コネクタのコネクタハウジングの接続空間部に、一方の面側の絶縁被覆が除去されて複数の導体が外部に露出されたフラットハーネスの一端部を、露出された導体を外側にして湾曲状態に折り返した第１折返し部と、この第１折返し部から続く露出された導体を内側にして折り返した第２折返し部と、第２折返し部から少なくとも第１折返し部まで延びる延長部とを含む形状で収容し、相手方接続端子を第１折返し部と延長部との間で第１及び第２折返し部の弾性復元力に基づく接触圧で挟み込むようにして導通を図るため、相手方接続端子をコネクタハウジングに挿入するだけでフラットハーネスとの導通を図ることができる。これにより、フラットハーネスの端末部に接続端子を圧着などにより接続しなくてもフラットハーネスと接続端子とを電気的に接続することができ、フラットハーネスの接続容易性を向上させることができる。
また、コネクタが従来のようなプラグコネクタ及びレセプタクルコネクタの２つの部材から構成されるものではないため、コネクタ設置場所やコネクタ嵌合作業場所などの省スペース化を図ることが可能となる。
【発明を実施するための最良の形態】
【０００９】
以下、添付の図面を参照して、本発明の好ましい実施の形態を説明する。
【００１０】
図１及び図２は、本発明の一実施形態に係るフラットハーネスの接続構造を実現するコネクタの一部断面分解斜視図、図３及び図４は、このコネクタの一部断面図である。
コネクタ１は、フラットハーネスとしてのフレキシブルフラットケーブル（以下、「ＦＦＣ」と呼ぶ。）２０とこのＦＦＣ２０と電気的に接続される相手方接続端子としてのタブ端子３１（図２及び図４参照）とが挿入されるコネクタハウジング１０と、このコネクタハウジング１０に収容されるＦＦＣ２０の一方の端末部（一端部）２１とを備えて構成されている。
【００１１】
ＦＦＣ２０は、この例では矩形断面を有する複数の導体２２を平面状に並設し、例えば絶縁樹脂フィルムからなる複数の絶縁被覆２３でこれらの導体２２をその厚さ方向に覆った構造からなり、帯板状の一端部２１においては少なくとも一方（ここでは導体２２の下方）の絶縁被覆２３が除去されて複数の導体２２が外部に露出した状態となっている。なお、ＦＦＣ２０の絶縁被覆２３の一部には、厚さ方向に穿設された留め穴２４が備えられている。
【００１２】
コネクタ１のコネクタハウジング１０は、一方の側壁１４ａに複数の導体２２が露出されたＦＦＣ２０の一端部２１を挿入するためのハーネス側挿入口１５が形成されると共に、この側壁１４ａと対向する側壁１４ｂにタブ端子３１を挿入するための端子側挿入口１６が形成され、更に内部に接続空間部２９が形成された箱状の樹脂成型部材などの絶縁体から構成されている。
【００１３】
このコネクタハウジング１０は、例えば一端部２１を収容する収容部１１と、この収容部１１の上部にヒンジ部１３を介して開閉自在に取り付けられる蓋部１２とを備えて構成されている。これら収容部１１と蓋部１２とは、例えば収容部１１の側壁１４ｂ側の開口端面に形成された突起部１８を有する係合片１９と、この係合片１９が挿入され突起部１８がその内壁に形成された突条１７ａ（図３参照）に引っ掛かる形状で蓋部１２の下面１２ａに穿設された穴部１７とから構成される係合部で箱状に一体的に固定される。なお、蓋部１２の下面１２ａには、所定の面積で下面１２ａと平行に形成された押え面１２ｂを有する凸部１２ｃが形成されている。この凸部１２ｃは、蓋部１２を収容部１１に対して全閉状態にしたときの収容部１１との位置決めにも利用される。
【００１４】
ＦＦＣ２０の一端部２１は、以下のように接続空間部２９内に収容される。即ち、図２及び図３に示すように、まず、側壁１４ａのハーネス側挿入口１５からコネクタハウジング１０の内部の接続空間部２９に挿入されコネクタハウジング１０の底面１１ａに形成された留め突起１１ｂにＦＦＣ２０の留め穴２４を挿通して位置決め固定された後、一端部２１は側壁１４ｂに向かって延びる部分が露出された導体２２を外側として湾曲状態で折り返される。この折返し部分が第１折返し部２５を構成する。次に、この第１折返し部２５から側壁１４ａに向かって延びる部分が露出された導体２２を内側として湾曲状態に折り返される。この折返し部分が第２折返し部２７を構成する。そして、この第２折返し部２７から続く少なくとも第１折返し部２５と重なる位置まで延びる部分が延長部２８を構成する。こうして一端部２１は、第１折返し部２５、第２折返し部２７及び延長部２８を構成するように折り返された状態で（即ち、一端部２１が少なくともＳ字状に折り返された部分を含む形状に折り返された状態で）、延長部２８の先端が側壁１４ｂ側に形成された留めスリット２６に嵌め込まれて固定されたうえで接続空間部２９に収容される。
【００１５】
ＦＦＣ２０の一端部２１をこのようにして収容部１１に収容した後、蓋部１２を収容部１１に対して閉じれば、一端部２１は、第１及び第２折返し部２５，２７が弾性復元力により少なくとも第１折返し部２５と延長部２８とが接触する状態でコネクタハウジング１０内に収容される。延長部２８は、蓋部１２の凸部１２ｃの押え面１２ｂで接続空間部２９内で下方側に押えられるため、第１折返し部２５と延長部２８との接触部分には予めある程度の接触圧が与えられている。
【００１６】
このようにしてコネクタハウジング１０内の接続空間部２９にＦＦＣ２０の一端部２１を、第１及び第２折返し部２５，２７並びに延長部２８を備える状態で収容した後、側壁１４ｂの端子側挿入口１６からタブ端子３１をコネクタハウジング１０内に挿入すれば、図４に示すように、挿入されたタブ端子３１は、その厚さ方向の両面が、一端部２１の第１折返し部２５と延長部２８との間で導体２２部分と接しながら、少なくとも第１及び第２折返し部２５，２７の弾性復元力に基づく接触圧で挟み込まれる。このため、コネクタハウジング１０内に挿入されたタブ端子３１はＦＦＣ２０の導体２２と良好に接続される。これにより、ＦＦＣ２０とタブ端子３１とを圧着などせずに簡単に電気的に接続することが可能となり、両者の接続容易性を向上させることができる。
【００１７】
図５は、上記ＦＦＣの接続構造における他のコネクタの一部断面図である。なお、以降において、既に説明した部分と重複する説明は割愛する。
この例では、コネクタハウジング１０の蓋部１２´の下面１２ａに形成された凸部１２ｃの形状が、接続空間部２９内に収容されたＦＦＣ２０の一端部２１の延長部２８を、第１折返し部２５との接触部分の周辺部においてのみ押え面１２ｂで下方側に押える形状で形成されている点が、先の例とは相違している。この場合においても、コネクタハウジング１０内に挿入されたタブ端子３１は、第１折返し部２５と延長部２８との間で導体２２と良好に接続されるため、ＦＦＣ２０とタブ端子３１との接続容易性を向上させることができる。
【産業上の利用可能性】
【００１８】
本発明は、フラットハーネスを他の部材と接続して使用する各種産業に利用できる。
【図面の簡単な説明】
【００１９】
【図１】本発明の一実施形態に係るフラットハーネスの接続構造を実現するコネクタの一部断面分解斜視図である。
【図２】同コネクタの一部断面分解斜視図である。
【図３】同コネクタの一部断面図である。
【図４】同コネクタの一部断面図である。
【図５】同他のコネクタの一部断面図である。
【符号の説明】
【００２０】
１…コネクタ、１０…コネクタハウジング、１１…収容部、１２…蓋部、１３…ヒンジ部、１４…側壁、１５…ハーネス側挿入口、１６…端子側挿入口、２０…フレキシブルフラットケーブル、２１…一端部、２２…導体、２３…絶縁被覆、２５…第１折返し部、２７…第２折返し部、２８…延長部、３１…タブ端子。
【図１】
2005093272.tif 000003
【図２】
2005093272.tif 000004
【図３】
2005093272.tif 000005
【図４】
2005093272.tif 000006
【図５】
2005093272.tif 000007